(57)【要約】      （修正有）【課題】同種の紙幣毎に挾着個所を区別してクリップし、支払い時の紙幣の取出しや新規紙幣のクリップも簡単且迅速に処理できる紙幣挾み具を提供する。【解決手段】下方固定部６の底面部１１より上面部にかけてスリットを２本形成し、スリットの頂部と下方固定部６の上面部１５との間にピンとスプリングとを挿入する貫通孔を２本形成し、スリットを形成する部位の下方固定部６の左側面部１９と中仕切り部２０と右側面部２１にかけて貫通孔２２を形成し、紙幣挾着クリップ５の一端部８にも小孔を形成して、貫通孔と小孔とにピン２４を挿入し、スリットの頂部と下方固定部６の上面部１５との間の貫通孔にピンと前記スプリングとを挿入し、貫通孔に前記脚部の下方部を螺入し組立てる。【選択図】図４
0003144707.tif 000002
【実用新案登録請求の範囲】
【請求項１】
下方固定部と弾性資材製の脚部とからなる軸杆と、前記下方固定部に対し起状自在な紙幣挾着クリップを取着せしめる紙幣挾み具において、
前記下方固定部の底面部より上面部にかけてスリットを２本形成し、前記スリットの頂部と前記下方固定部の上面部との間にピンとスプリングとを挿入する貫通孔を２本形成し、且前記スリットを形成する部位の前記下方固定部の左側面部と中仕切り部と右側面部にかけて貫通孔を形成し、前記紙幣挾着クリップの一端部にも小孔を形成して、前記貫通孔と前記小孔とにピンを挿入し、前記スリットの頂部と前記下方固定部の上面部との間の貫通孔に前記ピンと前記スプリングとを挿入し、前記貫通孔に前記脚部の下方部を螺入し組立てることを特徴とする紙幣挾み具。
【請求項２】
前記下方固定部内に形成の前記スリットは、前壁面部より後壁面部にかけて切削角度が底面部よりみて逆八形状にして、且前記中仕切り部の肉厚が挟められるように形成せしめることを特徴とする請求項１に記載の紙幣挾み具。
【請求項３】
前記下方固定部内に形成の前記スリットは、前壁面部より後壁面部にかけて切削角度が底面部よりみて逆八形状にして、且前記中仕切り部の肉厚が挟められるように形成せしめることを特徴とする請求項１又は同２に記載の紙幣挾み具。
【請求項４】
前記紙幣挾着クリップの挾着突出部が閉じ状態のときは、前記下方固定部と前記脚寄りに位置するように前記紙幣挾着クリップが取着されていることを特徴とする請求項１又は同２又は同３に記載の紙幣挾み具。
【請求項５】
財布を構成する左側カバーと右側カバーと内側カバーの夫々の一端部に紙幣挾着クリップ付き軸杆が出入自在な挿入部を形成し、前記挿入部に前記軸杆を挿入すると共に、前記左側カバーと前記内側カバーとの間に形成された札挾み部に前記１本の紙幣挾着クリップと、他方前記右側カバーと内側カバーとの間に形成された札挾み部に前記２本目の紙幣挾着クリップとが夫々押圧状態を保持し且紙幣を挾着可能にして介在することを特徴とする請求項１又同２又は同３又は同４に記載の紙幣挾み具。
【請求項６】
前記紙幣挾着クリップは、２本を対向状態にして取着することを特徴とする請求項１又は同２又は同３又は同４又は同５に記載の紙幣挾み具。
【請求項７】
前記紙幣挾着クリップは、側面よりみて前記一端部を水平状にして、且前記一端部を延設して湾曲状の前方部を形成し、且前記前方部の上方部を正面よりみて外側方に折曲し段部を形成し、前記段部の上方部を延設し、且内側方に折曲する挾着突出部を形成することを特徴とする請求項１又は同２又は同３又は同４又は同５又は同６に記載の紙幣挾み具。
【請求項８】
前記紙幣挾着クリップは、一端部が前記下方固定部のスリットの頂部より飛出するピンを常時押圧保持するように前記スプリングを挿入し取着せしめると、前記２本の紙幣挾着クリップが正面より見て前記下方固定部と前記脚部の外側方に位置することを特徴とする請求項１又は同２又は同３又は同４又は同５又は同６又は同７に記載の紙幣挾み具。
【考案の詳細な説明】
【技術分野】
【０００１】
本考案は、種類の異なる紙幣を区分けして挾着できる紙幣挾み具の分野に関するものである。
【背景技術】
【０００２】
従来、紙幣ホルダーとして、実用新案登録第３０５２５２２号登録実用新案公報が開示されている。
【０００３】
前記従来開示の紙幣ホルダーは、紙幣の出し入れが容易で使いやすく、かつ紙幣を保持した状態で折り畳んでも嵩張らず携帯しやすい紙幣ホルダーであった。
【０００４】
そして、前記開示の紙幣ホルダーの構成は、紙幣３０を内側に挟み込み可能なカバー１における折曲部５の内面側に起伏自在な紙幣挾着クリップ６を取付けるとともに、カバー１の一端部又は両端の内面側に紙幣の端部を刺し込み可能なポケット１０、１１を設けるものであった。
【０００５】
従って、前記開示の紙幣ホルダーは、前記カバー１における折曲部５の内面側に起伏自在な１本の紙幣挾着クリップ６を取付けることを構成上の要部としたもので、異なる種類の紙幣を単数もしくは複数枚の紙幣を同時に挾着するものであった。
【０００６】
そのため、従来開示の紙幣ホルダーは、紙幣挾着クリップ６が１本のため異なる種類の紙幣（１，０００円、２，０００円、５，０００円、１０，０００円・・・）を同時に重合してクリップするしかなかった。従って支払い時に挾着している各種紙幣の中から選別して取出すという作業が必要で煩雑で手間がかかるという弊害があった。
【０００７】
さらに、従来開示の前記紙幣ホルダーは、各種紙幣が重合されて１本の挾着ホルダーによって挾着されているために、容易に紙幣の残高を知ることができないという弊害があった。
【特許文献１】登録実用新案第３０５２５２２号公報
【考案の開示】
【考案が解決しようとする課題】
【０００８】
本考案は、前記開示の紙幣ホルダーのように紙幣を挾着クリップする点においては同じであるが、しかし、本考案は、同種の紙幣毎に挾着個所を区別してクリップし、支払い時における紙幣の取出し及び新規の紙幣のクリップをも極めて簡単且迅速に処理することができる利点を有している。
【０００９】
さらに本考案は、紙幣挾み具を構成する夫々の紙幣挾着クリップが財布を構成する内側カバーバーと左側カバー及び右側カバーとの間に形成された２個所の開閉自在な札挾み部に下方固定部から紙幣の挾着を常時安定した状態で挾着して、紙幣の損傷を確実に防止した。
【００１０】
また本考案は、財布を構成するカバーが２枚構成によって形成された札挾み部内で、２個の紙幣挾着クリップによって前記と同様に同種の紙幣を確実に安定した状態で挾着し、前記紙幣を損傷しないようにした。
【課題を解決するための手段】
【００１１】
前記課題を解決するための手段として、請求項１記載の考案は、下方固定部６と弾性資材製の脚部９とからなる軸杆ｄと、前記下方固定部６に対し起状自在な紙幣挾着クリップ５を取着せしめる紙幣挾み具において、前記下方固定部６の底面部１１より上面部１２にかけてスリット１３を２本形成し、前記スリット１３の頂部１４と前記下方固定部６の上面部１５との間にピン１６とスプリング１７とを挿入する貫通孔１８を２本形成し、且前記スリット１３を形成する部位の前記下方固定部６の左側面部１９と中仕切り部２０と右側面部２１にかけて貫通孔２２を形成し、前記紙幣挾着クリップ５の一端部８にも小孔２３を形成して、前記貫通孔２２と前記小孔２３とにピン２４を挿入し、前記スリット１３の頂部１４と前記下方固定部６の上面部１５との間の貫通孔１８に前記ピン１６と前記スプリング１７とを挿入し、前記貫通孔１８に前記脚部９の下方部を螺入し組立てる紙幣挾み具である。
【００１２】
請求項２記載の考案は、前記下方固定部６内に形成の前記スリット１３は、前壁面部６ａより後壁面部６ｂにかけて切削角度が底面部１１よりみて逆八形状にして、且前記中仕切り部２０の肉厚が挟められるように形成せしめる紙幣挾み具である。
【００１３】
請求項３記載の考案は、前記下方固定部６内に形成の前記スリット１３は、前壁面部６ａより後壁面部６ｂにかけて切削角度が底面部１１よりみて逆八形状にして、且前記中仕切り部２０の肉厚が挟められるように形成せしめる紙幣挾み具である。
【００１４】
請求項４記載の考案は、前記紙幣挾着クリップ５の挾着突出部２５が閉じ状態のときは、前記下方固定部６と前記脚９寄りに位置するように前記紙幣挾着クリップ５が取着されている紙幣挾み具である。
【００１５】
請求項５記載の考案は、財布Ａを構成する左側カバー１と右側カバー２と内側カバー３の夫々の一端部１ｃ、２ｃ、３ｃに紙幣挾着クリップ５付き軸杆ｄが出入自在な挿入部４を形成し、前記挿入部４に前記軸杆ｄを挿入すると共に、前記左側カバー１と前記内側カバー３との間に形成された札挾み部１０に前記１本の紙幣挾着クリップ５と、他方前記右側カバー２と内側カバー３との間に形成された札挾み部１０に前記２本目の紙幣挾着クリップ５とが夫々押圧状態を保持し且紙幣ｓを挾着可能にして介在する紙幣挾み具である。
【００１６】
請求項６記載の考案は、前記紙幣挾着クリップ５は、２本を対向状態にして取着する紙幣挾み具である。
【００１７】
請求項７記載の考案は、前記紙幣挾着クリップ５は、側面よりみて前記一端部８を水平状にして、且前記一端部８を延設して湾曲状の前方部５ａを形成し、且前記前方部５ａの上方部を正面よりみて外側方に折曲し段部５ｂを形成し、前記段部５ｂの上方部を延設し、且内側方に折曲する挾着突出部２５を形成する紙幣挾み具である。
【００１８】
請求項８記載の考案は、前記紙幣挾着クリップ５は、一端部８が前記下方固定部６のスリット１３の頂部１４より飛出するピン１６を常時押圧保持するように前記スプリング１７を挿入し取着せしめると、前記２本の紙幣挾着クリップ５が正面より見て前記下方固定部６と前記脚部９の外側方に位置する紙幣挾み具である。
【考案の効果】
【００１９】
請求項１〜８記載の考案の紙幣挾み具は、従来開示の登録実用新案第３０５２５２２号の公報の考案とは異なり、同様の紙幣毎に挾着個所を区別してクリップし、支払いのために紙幣を取出すのに極めて簡単にして、且容易にできる利点がある。
【００２０】
さらに、本考案の紙幣挾み具は、財布を構成する左側カバーと右側カバーと内側カバーとの間に形成される２個所の札挾み部内に挿入しても、挾着クリップの一端部が、下方固定部に形成の逆八形状スリット内にピンとスプリングの押圧作用によって起状自在に取着せしめられているので、前記各種紙幣を区別して確実に挾着保持ができる利点を有している。
【００２１】
また本考案の紙幣挾み具は、２本の挾着クリップの構造を前記請求項４、５、６に記載のようにしたので、前記財布を構成する前記挿入部に前記軸杆を挿入し、前記３つのカバーとの厚みにも順応して開脚し、紙幣の押圧保持機能を確実に発揮すると共に、押圧挾着された紙幣の損傷を防止せしめる利点を有している。
【考案を実施するための最良の形態】
【００２２】
本考案の請求項１〜８記載の考案に関する実施の形態は共通しているので、以下のとおり一括して説明する。
【００２３】
Ａは財布Ａであり、この財布Ａには左側カバー１と右側カバー２と内側カバー３の夫々の一端部１ｃ、２ｃ、３ｃに紙幣挾着クリップ５付き軸杆ｄが出入自在な挿入部４を形成する。この挿入部４は、上方と下方とが貫通している。
【００２４】
また前記財布Ａは、左側カバー１と右側カバー２の２枚合せで構成してもよい。そして前記挿入部４は、前記両カバー１、２の一端部１ｃ、２ｃに前記軸杆ｄが出入自在な挿入部４を形成してもよい。この挿入部４も上方と下方とが貫通している。
【００２５】
さらに、前記軸杆ｄを構成する下方固定部６の下方部７には、２本の紙幣挾着クリップ５の一端部８が対称的に夫々別個に起状自在にして、且開脚できるように取着されている。
【００２６】
また、前記下方固定部６の上方には、弾性資材製の脚部９が接続され前記下方固定部６と一体になって軸杆ｄを構成している。また前記軸杆ａは前記挿入部４の下方部もしくは上方部の何れか一方より挿入する。
【００２７】
そして、前記左側カバー１と前記内側カバー３との間に形成された札挾み部１０に、前記挿入部４に挿入の軸杆ｄに取着する前記１本の紙幣挾着クリップ５を、他方前記右側カバー２と内側カバー３との間に形成された札挾み部１０に前記２本目の紙幣挾着クリップ５を夫々押圧状態を保持せしめ介在する。そのとき紙幣ｓの稍中央部分が前記紙幣挾着クリップ５によって挾着される。
【００２８】
また、前記左側カバー１と右側カバー２との間の札挾み部１０内に前記２本のクリップ５を介在させることもできる。
【００２９】
さらに前記軸杆ｄを構成する下方固定部６の構成を説明すると以下のとおりである。
【００３０】
前記下方固定部６は、下方部７の底面部１１より上面部１２方向にスリット１３を複数形成する。
【００３１】
そして、前記スリット１３の頂部１４と前記下方固定部６の上面部１５との間に、所定長さのピン１６と所定長さのスプリング１７とを挿入する貫通孔１８を併行状態にして２本形成する。さらに前記スリット１３を形成する部位の前記下方固定部６の左側面部１９と中仕切り部２０と右側面部２１にかけて同一線上に位置する貫通孔２２を形成し、前記紙幣挾着クリップ５の一端部８にも前記貫通孔２２と同一線上に位置する小孔２３を形成する。
【００３２】
前記貫通孔２２と前記小孔２３とにピン２４を挿入する。
【００３３】
さらに、前記スリット１３の頂部１４と前記下方固定部６の上面部１５との間の貫通孔１８に前記ピン１６と前記スプリング１７とを挿入後、前記下方固定部６の上面部１５側の前記貫通孔１８に前記脚部９の下方部を螺入する。その際前記紙幣挾着クリップ５の挾着突出部２５が閉じ状態のときは前記下方固定部６と前記脚９寄りに位置するように前記紙幣挾着クリップ５が取着されている。
【００３４】
そして前記下方固定部６内に形成の前記スリット１３は、図５のように前壁面部６ａより後壁面部６ｂにかけて切削角度が底面部１１よりみて逆八形状にして、且前記中仕切り部２０の肉厚が挟められるように形成される。
【００３５】
また前記紙幣挾着クリップ５は、図７のように２本を対向状態にして且側面よりみて前記一端部８を水平状にすると共に、前記一端部８を延設して湾曲状の前方部５ａを形成する。さらに前記前方部５ａの上方部を正面よりみて外側方に折曲し段部５ｂを形成する。そして前記段部５ｂの上方部を延設し、且内側方に折曲する挾着突出部２５を形成する。
【００３６】
前記紙幣挾着クリップ５の一端部８は、前記下方固定部６のスリット１３の頂部１４より前記スプリング１７によって押圧されて飛出するピン１６を常時押圧保持している。その結果前記２本の紙幣挾着クリップ５は、段部５ｂ、５ｂより下方に延設する挾着突出部２５を含む紙幣挾着クリップ５が、正面より見て前記下方固定部６と前記脚部９の外側方に位置する。
【００３７】
前記のように紙幣挾着クリップ５が、左側カバー１と右側カバー２と内側カバー３とによって形成された札挾み部１０、１０内に図１、２のように介在する際、前記紙幣挾着クリップ５を構成する湾曲状の前方部５ａと外側方に折曲する段部５ｂ、５ｂによって、前記財布Ａの内側カバー３の厚み部分に阻害されたりしない。そのため、前記紙幣挾着クリップ５は、前記札挾み部１０、１０に介在しても、前記内側カバー３の厚みに阻害されずに紙幣ｓを確実にして、且適度に押圧する。
【００３８】
本考案は前記紙幣挾着クリップ５を２本使用するので、一方の紙幣挾着クリップ５には例えば１万円札を、他方の紙幣挾着クリップ５には、阡円札を挾着して使用することもできる。
【００３９】
そして前記紙幣挾着クリップ５にクリップされている紙幣ｓを取出したり、挾着するには、前記紙幣挾着クリップ５の上方端部２５ａを手指で軽く引掛け手前方向に引くことによって押圧が解除されるので、挾着中の紙幣５の取出しもしくは新規な紙幣ｓの挾着が容易となる。
【００４０】
前記のように紙幣ｓの取出しもしくは挾着が終了したら、前記紙幣挾着クリップ５を復元し前記のように紙幣を押圧せしめる。
【００４１】
さらに前記左側カバー１の内側面部１ｂと内側カバー３の左外側面部３ａと右外側面部３ｂと、右側カバー２の内側面部２ａに、カード挿入部（図面なし）を設けてもよい。
【図面の簡単な説明】
【００４２】
【図１】本考案紙幣挾み具と財布との使用状態を示す図である。
【００４３】
【図２】同内側カバーと右側カバーとの間の札挾み部を利用して紙幣を挾着した状態を示す図である。
【００４４】
【図３】同挾み具を挿入した財布を折畳んだ状態の平面図である。
【００４５】
【図４】図３の財布の平面図である。
【００４６】
【図５】本考案紙幣挾み具の底面図である。
【００４７】
【図６】本考案紙幣挾み具の縦断側面図である。
【００４８】
【図７】図６の挾み具の正面図である。
【符号の説明】
【００４９】
Ａ      財布
ｓ      紙幣
ｄ      軸杆
１      左側カバー
１ｃ    一端部
２      右側カバー
２ａ    内側面部
２ｃ    一端部
３      内側カバー
３ａ    左外側面部
３ｂ    右側側面部
３ｃ    一端部
４      挿入部
５      紙幣挾着クリップ
５ａ    前方部
５ｂ    段部
６      下方固定部
６ａ    前壁面部
６ｂ    後壁面部
７      下方部
８      一端部
９      脚杆
１０    札挾み部
１１    底面部
１２    上面部
１３    スリット
１４    頂部
１５    上面部
１６    ピン
１７    スプリング
１８    貫通孔
１９    左側面部
２０    中仕切り部
２１    右側面部
２２    貫通孔
２３    小孔
２４    ピン
２５    挾着突出部
２５ａ  上方端部
【図１】
0003144707.tif 000003
【図２】
0003144707.tif 000004
【図３】
0003144707.tif 000005
【図４】
0003144707.tif 000006
【図５】
0003144707.tif 000007
【図６】
0003144707.tif 000008
【図７】
0003144707.tif 000009